(57)【要約】      （修正有）【課題】扇風機が有する動き機能を利用して、デザイン性を向上させた扇風機を提供する。【解決手段】ファンと、ファンを駆動するためのファンモータと、ファンの周囲を囲うファンガード部材と、ファン、ファンモータおよびファンガード部材を一体的に左右に首振り運動させる首振り機構を備えた扇風機において、ファンによる送風を送り出す側のファンガード部材の正面に、断面略半球状の透明材質からなり、比重が異なる二種類の液体が封入された飾り部材を設けた。【選択図】図２
0003104721.tif 000002
【実用新案登録請求の範囲】
【請求項１】
ファンと、上記ファンを駆動するためのファンモータと、上記ファンの周囲を囲うファンガード部材と、上記ファン、ファンモータおよびファンガード部材を一体的に左右に首振り運動させる首振り機構を備えた扇風機において、
上記ファンによる送風を送り出す側の上記ファンガード部材の正面に、断面略半球状の透明材質からなり、比重が異なる二種類の液体が封入された飾り部材を設けたことを特徴とする扇風機。
【請求項２】
ファンと、上記ファンを駆動するためのファンモータと、上記ファンの周囲を囲うケース部材と、上記ケース部材の正面側に設けられて送風を送り出すルーバー部材と、上記ルーバー部材を回転させるルーバーモータを備えた扇風機において、
上記ルーバー部材の正面に、断面略半球状の透明材質からなり、比重が異なる二種類の液体が封入された飾り部材を設けたことを特徴とする扇風機。
【請求項３】
前記飾り部材は、前記ルーバー部材の回転に伴って回転することを特徴とする請求項２記載の扇風機。
【請求項４】
前記飾り部材には、前記二種類の液体のより比重の大きい液体に浮き、かつ、前記二種類の液体のより比重の小さい液体に沈む材質の小物部材が収容されていることを特徴とする請求項１または請求項２または請求項３記載の扇風機。
【請求項５】
前記飾り部材の略半球面に連結される平面側は、彩色され不透明であることを特徴とする請求項１または請求項２または請求項３または請求項４記載の扇風機。
【考案の詳細な説明】
【技術分野】
【０００１】
本考案は、演出性の高い扇風機に関する。
【背景技術】
【０００２】
従来、扇風機は、風を送って人に清涼感を与えたり、発汗した人の体温を下げるなどのために使用されており、リビングなど、人が過ごす場所に設置されることが多いため、安全性や機能性が求められるとともに、室内の備品として利用できるようなデザインが施されている。
【考案の開示】
【考案が解決しようとする課題】
【０００３】
しかしながら、扇風機には、例えば、送風方向を左右に振り向ける首振り機能などがあり、一定の動き機能を有するものの、このような動き機能を利用したデザイン性に乏しかった。
【０００４】
本考案は、かかる実情に鑑みてなされたものであり、扇風機が有する動き機能を利用して、デザイン性を向上させた扇風機を提供すること目的とする。
【課題を解決するための手段】
【０００５】
本考案は、ファンと、上記ファンを駆動するためのファンモータと、上記ファンの周囲を囲うファンガード部材と、上記ファン、ファンモータおよびファンガード部材を一体的に左右に首振り運動させる首振り機構を備えた扇風機において、上記ファンによる送風を送り出す側の上記ファンガード部材の正面に、断面略半球状の透明材質からなり、比重が異なる二種類の液体が封入された飾り部材を設けたものである。
【０００６】
また、ファンと、上記ファンを駆動するためのファンモータと、上記ファンの周囲を囲うケース部材と、上記ケース部材の正面側に設けられて送風を送り出すルーバー部材と、上記ルーバー部材を回転させるルーバーモータを備えた扇風機において、上記ルーバー部材の正面に、断面略半球状の透明材質からなり、比重が異なる二種類の液体が封入された飾り部材を設けたものである。
【０００７】
また、前記飾り部材は、前記ルーバー部材の回転に伴って回転するものである。
【０００８】
また、前記飾り部材には、前記二種類の液体のより比重の大きい液体に浮き、かつ、前記二種類の液体のより比重の小さい液体に沈む材質の小物部材が収容されているものである。
【０００９】
また、前記飾り部材の略半球面に連結される平面側は、彩色され不透明である。
【考案の効果】
【００１０】
したがって、本考案によれば、扇風機の首振り運動、または、ルーバー部材の回転運動に伴って、飾り部材が運動するので、飾り部材に封入した二種類の液体が不規則に運動し、その結果、高演出性を得ることができるという効果を得る。
【考案を実施するための最良の形態】
【００１１】
以下、添付図面を参照しながら、本考案の実施の形態を詳細に説明する。
【００１２】
図１は、本考案の一実施例にかかる扇風機を示している。この扇風機は、いわゆるリビングファンであり、首振り機構を備えたものである。
【００１３】
同図において、ファン１を駆動するファンモータ２は、図示しない首振り機構（周知構成のため、説明を省略する）を備えた連結手段を介して支柱３に取り付けられており、この支柱３は、台座４に設けられたスリーブ部材５に挿入されている。また、支柱３は、スリーブ部材５に収容されながら、上下方向に繰り出しが可能であり、それによって、ファン１の高さが変更できるようになっている。
【００１４】
また、支柱３には、ファン１およびファンモータ２を囲繞する態様に、ファンガード部材６が設けられている。また、このファンガード部材６の正面中央には、断面略半球状に形成されている飾り部材７が設けられている。
【００１５】
この飾り部材７は、図２に示すように、不透明材質の円盤状の基板７ａに、略半球状に形成された透明材質からなる窓部材７ｂを取り付けてなり、この基板７ａと窓部材７ｂに囲まれた空間には、比重が異なる二種類の液体７ｃ，７ｄが封入されるとともに、比重の大きい液体７ｃには浮かんで、かつ、比重の小さい液体７ｄには沈む材質からなる小物部材７ｅが収納されている。
【００１６】
ここで、飾り部材７の演出性のために、例えば、液体７ｃに水色の彩色を付した透明なものを用い、液体７ｄに無色透明なものを用い、小物部材７ｅとして水面に浮かぶ鳥を模したものを用いることで、飾り部材７の中に、水面に浮かぶ鳥の絵のフレームを現出させることができる。
【００１７】
そして、扇風機を稼働し、首振り機構を作動すると、首振り機構の運動に伴ってファンガード部材６が運動し、飾り部材７も運動するので、その運動に伴って、飾り部材７に封入した液体７ｃ，７ｄが波立ったり、振動したり、ランダムな動きをなすとともに、液体７ｃに浮かぶ小物部材７ｅも様々に動くので、その様子を鑑賞する人の目を楽しませることができる。
【００１８】
ここで、液体７ｃ，７ｄの材質としては、それぞれが混合せず、界面が安定するようなものを用いることが好ましい。例えば、互いに溶剤の関係にないオイルや、水と油などである。
【００１９】
また、基板７ａにおいて、窓部材７ｂに対向する面に、背景となる絵を描いたり、効果的な彩色を施すことで、より演出性を高めることができる。
【００２０】
図３は、本考案の他の実施例にかかる扇風機を示している。この扇風機は、いわゆるボックスファンであり、送風口となるルーバー部材を回転する機構を備えたものである。なお、同図において、図１と同一部分には、同一符号を付している。
【００２１】
同図において、筺体１０の中央部には、ファン１およびファン１を駆動するファンモータ２が収容されており、筺体１０の正面中央には、ファン１の送風を整流するためのルーバー部材１１が設けられている。
【００２２】
また、ルーバー部材１１の正面中央には、断面略半球状に形成されている飾り部材７が設けられている。ここで、図４に示すように、飾り部材７の基板７ａには、ネジ１２がねじ込まれており、このネジ１２は、ルーバー部材１１にもねじ込まれており、さらに、ルーバー部材１１を回転駆動するルーバーモータ１３の軸１３ａにネジ止めされている。なお、支柱部材１４は、筺体１０にルーバーモータ１３を固定するためのものである。
【００２３】
すなわち、ネジ１２により、飾り部材７およびルーバー部材１１が、ともにルーバーモータ１３の軸１３ａにネジ止めされており、これにより、ルーバーモータ１３の軸１３ａの回転に伴ってルーバー部材１１および飾り部材７が回転する。
【００２４】
したがって、この扇風機を稼働し、ルーバーモータ１３を駆動すると、ファン１が送風を開始するとともに、ルーバー部材１１および飾り部材７が回転する。それにより、ファン１より送り出される風は、ルーバー部材１１の回転に伴って整流方向が変更されるとともに、飾り部材７に封入した液体７ｃ，７ｄが波立ったり、振動したり、ランダムな動きをなすとともに、液体７ｃに浮かぶ小物部材７ｅも様々に動くので、その様子を鑑賞する人の目を楽しませることができる。
【００２５】
なお、上述した実施例では、飾り部材７に収納する小物部材７ｅの数が、１つであったが、２つ以上の小物部材７ｅを飾り部材７に収容することもできる。また、封入する液体７ｃ，７ｄの色分けや、小物部材７ｅの形状等は、飾り部材７で現出しようとする演出性に応じて、適宜な態様のものを適用することができる。
【００２６】
また、上述した実施例では、リビングファンとボックスファンについて、本考案にかかる飾り部材を適用した場合について説明したが、それ以外の任意の態様の扇風機についても、本考案にかかる飾り部材を、同様にして適用することができる。
【００２７】
なお、当然のことながら、本考案にかかる飾り部材は、単独で取引可能な部品としての機能も有する。
【図面の簡単な説明】
【００２８】
【図１】本考案の一実施例にかかる扇風機を示した概略正面図。
【図２】飾り部材７の一例を示した概略断面図。
【図３】本考案の他の実施例にかかる扇風機を示した概略正面図。
【図４】飾り部材７とルーバー部材１１をルーバーモータ１３の軸１３ａに取り付ける取り付け機構の一例を示した概略部分断面図。
【符号の説明】
【００２９】
１  ファン
２  ファンモータ
３  支柱
４  台座
５  スリーブ部材
６  ファンガード部材
７  飾り部材
７ａ  基板
７ｂ  窓部材
７ｃ，７ｄ  液体
７ｅ  小物部材
１０  筺体
１１  ルーバー部材
１２  ネジ
１３  ルーバーモータ
１３ａ  軸
【図１】
0003104721.tif 000003
【図２】
0003104721.tif 000004
【図３】
0003104721.tif 000005
【図４】
0003104721.tif 000006